(57)【要約】【課題】複数の発電機で電力需給を行う上で運用者の感覚を反映した負荷配分を実現する。【解決手段】この電力需給制御システムは、複数の発電機の発電出力を電力需要に応じて配分するよう制御する電力需給制御システムにおいて、過去の実績需要とこの実績需要に対して運用者が作成した前記複数の発電機への電力需要配分とが対応して記憶された過去実績需要記憶部と、現在の電力需要に最も類似する過去の実績需要の電力需要配分を過去実績需要記憶部から取得する配分取得部と、取得された電力需要配分から前記複数の発電機それぞれの運転バンド状態を抽出する運転バンド状態抽出部と、抽出された各発電機の運転バンド状態から複数の発電機に対する経済的な負荷配分を計算する負荷配分計算部とを備える。【選択図】図１
2012029389.tif 000002
【特許請求の範囲】
【請求項１】
複数の発電機の発電出力をそのときの電力需要に応じて配分するよう前記複数の発電機の発電出力を計算する電力需給制御システムにおいて、
過去の実績需要とこの実績需要に対して運用者が作成した前記複数の発電機への電力需要配分とが対応して記憶された過去実績需要記憶部と、
現在の電力需要が記憶された現在需要記憶部と、
前記現在需要記憶部から読み出した現在の電力需要と、前記過去実績需要記憶部の過去の実績需要との類似度を計算し、前記現在の電力需要に最も類似した過去の実績需要に対して運用者が作成した電力需要配分を前記過去実績需要記憶部から取得する配分取得部と、
前記配分取得部により取得された電力需要配分から前記複数の発電機それぞれの運転バンド状態を抽出する運転バンド状態抽出部と、
前記運転バンド状態抽出部により抽出された各発電機の運転バンド状態から前記複数の発電機に対する経済的な負荷配分を計算する負荷配分計算部と
を具備することを特徴とする電力需給制御システム。
【請求項２】
系統状態、気温、天候、電力需要配分を作成した運用者ＩＤ、カレンダー情報を検索条件として実績需要を前記過去実績需要記憶部から検索する検索部と、
前記検索部により検索された実績需要とそれに対して作成した電力需要配分とを画面に表示し、検索された中のうちのいずれか一つの選択を運用者に促し、選択された電力需要配分を前記運転バンド状態抽出部へ出力する選択部と
を具備することを特徴とする請求項１記載の電力需給制御システム。
【請求項３】
実績需要の類似性の高い発電機群を同一のグループとみなすようにグループ化するグループ化部を具備することを特徴とする請求項１記載の電力需給制御システム。
【請求項４】
前記負荷配分計算部により計算された電力需要配分の結果が適切であるか否かの選択を運用者に促し、適切であるものと選択された場合に前記運用者のＩＤとを前記電力需要配分結果とを関連付けた負荷配分を前記過去実績需要記憶部に格納する過去実績格納部を具備することを特徴とする請求項１記載の電力需給制御システム。
【請求項５】
現在の系統状態と過去の負荷配分を用いて潮流計算を行い、この潮流計算の結果が予め定めた潮流制約に違反しているかを判定し、違反していると判定した過去の実績データを類似度算出の対象から除外する潮流計算部をさらに具備することを特徴とする請求項２記載の電力需給制御システム。
【請求項６】
前記予想需要を上限値と下限値を持つ形式に修正する修正部と、
前記予想需要の上下限値と過去の実績需要との類似度を算出する類似度算出部と
を具備することを特徴とする請求項１記載の電力需給制御システム。
【請求項７】
複数の発電機の発電出力をそのときの電力需要に応じて配分するよう前記複数の発電機発電出力を計算する電力需給制御システムにおける電力需給制御方法において、
過去の実績需要とこの実績需要に対して運用者が作成した前記複数の発電機への電力需要配分とを対応させて過去実績需要記憶部に記憶し、
現在の電力需要を現在需要記憶部に記憶し、
前記現在需要記憶部から読み出した現在の電力需要と過去の実績需要の類似度を計算し、前記現在の電力需要に最も類似した過去の実績需要に対して運用者が作成した電力需要配分を前記過去実績需要記憶部から取得し、
取得した電力需要配分から各発電機それぞれの運転バンド状態を抽出し、
抽出した各発電機の運転バンド状態から前記複数の発電機に対する経済的な負荷配分を計算することを特徴とする電力需給制御方法。
【発明の詳細な説明】
【技術分野】
【０００１】
本発明は、例えば発電所や変電所などの電力系統において電力の需給バランスを制御する電力需給制御システムおよび電力需給制御方法に関する。
【背景技術】
【０００２】
一般に電力系統において需要と供給のバランスを取る需給制御方法としては、最適化計算を利用した経済負荷配分方法が知られている（例えば非特許文献１参照）。
【０００３】
この技術は各発電機の発電コストを目的関数として表現し、各時間帯において最も発電コストが安くなるように各発電コストに総需要の負荷を配分していく方法である。
【０００４】
このような需給制御方法としては、例えば各発電機がどの時間帯にどの運転バンドで運転するかを示す運転バンド状態を順次発生する運転バンド状態発生手段、およびこれらの運転バンド状態に対して、需給バランス制約、該運転バンドでの発電機出力上下限制約、出力変化速度制約、予備力制約、潮流制約、燃料制約を満たし、発電コストの総和が最小となるような各発電機の出力を求める発電機出力最適値計算手段、上記手段により決定される運転バンド状態と発電機出力を評価する評価計算手段、および発電コストが最小となる運転バンド状態と発電機出力を保存する最良解保存手段を有し、これらの処理を順次繰返し燃料費最小の火力発電機の負荷配分を決定する技術が既に開示されている（特許文献１参照）。
【０００５】
なお運転バンドとは、火力発電機のある特定の出力範囲のことである。火力発電機には燃料を供給するパイプのバルブが複数個あり、ある一定以上の出力とするにはこのバルブを順次開き出力を増加させる必要がある。一般的に火力発電機にはこの運転バンドと呼ばれる出力範囲が複数あり、各々出力の上下限値・変化速度が異なり、このバルブを開くときある時間一定出力を保持しなければならない制約などがある。
【０００６】
最適化方法を利用した需給制御方法は、最もコストの低い負荷配分を実現するが運用者が適切と考える負荷配分とかけ離れるという問題がある。一例としては、一般的な運用では、予想される需要増大時に発電機の上げ代を確保するため予め発電コストの高い発電機も出力を増大させ、運転バンドの切り替えを実施するように設定する。
【０００７】
このような最適化方法を利用する場合、通常、経済性を優先させるため、発電コストの高い発電機についても出力を上げずに総需要に対してギリギリの配分をしてしまうことがある。このような理由で、運用者が手計算で負荷配分を作成する機会も多く、いかに運用者の感覚を反映した需給制御を行うかが大きな課題となっている。
【先行技術文献】
【非特許文献】
【０００８】
【非特許文献１】関根泰次著「電力系統工学」p97-p167（電気書院）
【特許文献】
【０００９】
【特許文献１】特許第３０１５３４３号公報
【発明の概要】
【発明が解決しようとする課題】
【００１０】
上述したように、最適化方法を利用した需給制御方法は、運用者の感覚を最適化問題として定式化することが難しく、実際の需給運用にそぐわない発電機への負荷配分となるという問題があった。
【００１１】
本発明はこのような課題を解決するためになされたもので、負荷配分の特徴をよく表す各時刻の配分値に対応する運転バンドを、現在の予想需要に類似した過去の実績需要に対して運用者が作成した配分から抽出し、この運転バンドを条件に経済負荷配分をすることで、複数の発電機で電力需給を行う上で、運用者の感覚を反映した負荷配分を実現することができる需給制御システムおよび電力需給制御方法を提供することを目的とする。
【課題を解決するための手段】
【００１２】
上記の課題を解決するために、本発明の電力需給制御システムは、複数の発電機の発電出力をそのときの電力需要に応じて配分するよう前記複数の発電機の発電出力を計算する電力需給制御システムにおいて、過去の実績需要とこの実績需要に対して運用者が作成した前記複数の発電機への電力需要配分とが対応して記憶された過去実績需要記憶部と、現在の電力需要が記憶された現在需要記憶部と、前記現在需要記憶部に記憶されている現在の需要と前記過去実績需要記憶部の過去の実績需要との類似度を算出し前記現在の電力需要に最も類似した過去の実績需要に対して運用者が作成した電力需要配分を前記過去実績需要記憶部から取得する配分取得部と、前記配分取得部により取得された電力需要配分から前記複数の発電機それぞれの運転バンド状態を抽出する運転バンド状態抽出部と、前記運転バンド状態抽出部により抽出された各発電機の運転バンド状態から、前記複数の発電機に対する経済的な負荷配分を計算する負荷配分計算部とを具備することを特徴とする。
【００１３】
本発明の電力需給制御方法は、複数の発電機の発電出力をそのときの電力需要に応じて配分するよう前記複数の発電機の発電出力を計算する電力需給制御システムにおける電力需給制御方法において、過去の実績需要とこの実績需要に対して運用者が作成した前記複数の発電機への電力需要配分とを対応させて過去実績需要記憶部に記憶し、現在の電力需要を現在需要記憶部に記憶し、現在の電力需要と過去の実績需要の類似度を算出し、前記現在の電力需要に最も類似した過去の実績需要に対して運用者が作成した電力需要配分を前記過去実績需要記憶部から取得し、取得した電力需要配分から各発電機それぞれの運転バンド状態を抽出し、抽出した各発電機の運転バンド状態から、前記複数の発電機に対する経済的な負荷配分を計算することを特徴とする。
【発明の効果】
【００１４】
本発明によれば、複数の発電機で電力需給を行う上で、運用者の感覚を反映した負荷配分を実現することができる。
【図面の簡単な説明】
【００１５】
【図１】第１実施形態の電力需給制御システムの構成を示す図である。
【図２】第１実施形態の電力需給制御システムの動作を示すフローチャートである。
【図３】実績需要から配分と運転バンド状態の抽出を説明する図である。
【図４】第２実施形態の電力需給制御システムの構成を示す図である。
【図５】第２実施形態の電力需給制御システムの動作を示すフローチャートである。
【図６】第３実施形態の電力需給制御システムの構成を示す図である。
【図７】第３実施形態の電力需給制御システムの動作を示すフローチャートである。
【図８】第４実施形態の電力需給制御システムの構成を示す図である。
【図９】第４実施形態の電力需給制御システムの動作を示すフローチャートである。
【図１０】第５実施形態の電力需給制御システムの構成を示す図である。
【図１１】第５実施形態の電力需給制御システムの動作を示すフローチャートである。
【図１２】第６実施形態の電力需給制御システムの構成を示す図である。
【図１３】第６実施形態の電力需給制御システムの動作を示すフローチャートである。
【発明を実施するための形態】
【００１６】
以下、図面を参照して本発明の実施の形態を詳細に説明する。
（第１実施形態）
図１を参照して第１実施形態の電力需給制御システムの構成について説明する。図１に示すように、この第１実施形態の電力需給制御システムは、現在需要記憶部としての現在データ格納部１０と、過去実績需要記憶部としての実績データ格納部２０と、負荷配分実行部３０とを有している。この電力需給制御システムは、複数の発電機Ａ，Ｂ，Ｃの発電出力をそのときの電力需要に応じて配分するよう複数の発電機Ａ，Ｂ，Ｃの発電出力を計算するシステムである。
【００１７】
現在データ格納部１０は、ハードディスク装置またはメモリあるいはデータベース等により構成されている。この現在データ格納部１０には、現時点の需要値と現在以降の予測需要値、各発電機Ａ，Ｂ，Ｃの燃料費特性係数データ、各発電機Ａ，Ｂ，Ｃの制約条件データを含む現在運用中のデータ（現在の電力需要）が格納（記憶）されている。
【００１８】
実績データ格納部２０は、ハードディスク装置またはメモリあるいはデータベース等により構成されている。実績データ格納部２０には、今までに運用した（過去）の実績需要値、今まで（過去）の各発電機Ａ，Ｂ，Ｃの負荷配分の実績値（発電機負荷配分実績）などが格納されている。すなわち、この実績データ格納部２０には、過去の実績需要とこの実績需要に対して運用者が作成した複数の発電機Ａ，Ｂ，Ｃへの電力需要配分（以下「負荷配分」と称す）とが対応して記憶されている。
【００１９】
負荷配分実行部３０は、例えばコンピュータなどであり、電力需給制御プログラムが記憶されたメモリと、このメモリから電力需給制御プログラムを読み込むことでその電力需給制御処理を実行するＣＰＵと、電力需給制御処理結果の発電機運転結果出力データ３５を保存するハードディスク装置、マウスおよびキーボードなどの入力装置、画面を有するモニタなどの表示装置などから構成されており、電力需給制御機能として、実績・現在類似度算出部３１、実績特徴抽出部３２、求解部３４等を有している。
【００２０】
実績・現在類似度算出部３１は、現在データ格納部１０に格納されている現在の電力需要と、実績データ格納部２０に格納されている現在と同様の発電機運転体制での過去の実績需要との類似度を算出する。そして、この類似度の値に対して最も類似すると判定される過去実績に対応する実績需要の配分を、実績データ格納部２０より取り出し実績特徴抽出部３２へ渡す。
【００２１】
すなわち、実績・現在類似度算出部３１は、現在の電力需要と、実績データ格納部２０の過去の実績需要との類似度を計算し、現在の電力需要に最も類似度が高い、つまり最も類似した過去の実績需要に対して運用者が作成した負荷配分を実績データ格納部２０から取得する配分取得部として機能する。
【００２２】
実績特徴抽出部３２は、実績・現在類似度算出部３１から渡された実績需要の負荷配分から、各発電機Ａ，Ｂ，Ｃの運転バンドデータ３３を作成し、求解部３４へ渡し、求解部３４は、受け取った各発電機Ａ，Ｂ，Ｃの運転バンドデータ３３を用いて各発電機Ａ，Ｂ，Ｃの発電機運転出力データ３５を作成する。より具体的には、実績特徴抽出部３２は、実績・現在類似度算出部３１により取り出された過去実績に対応する実績の負荷配分から各発電機Ａ，Ｂ，Ｃの運転バンドデータ３３を取得する。
【００２３】
そして実績特徴抽出部３２は、運用者の配分の特徴を現す運転バンド状態を配分計算の制約条件として過去の配分から取り出す。すなわち、実績特徴抽出部３２は、実績・現在類似度算出部３１により取得された負荷配分から複数の発電機Ａ，Ｂ，Ｃそれぞれの運転バンド状態（運転バンドデータ３３）を抽出する運転バンド状態抽出部として機能する。
【００２４】
求解部３４は、実績特徴抽出部３２により得られた発電機運転バンドデータ３３と、現在データ格納部１０に格納されている現在の予想需要、発電機制約条件データなどから経済負荷配分の計算を実行する。すなわち、求解部３４は、実績特徴抽出部３２により抽出された各発電機Ａ，Ｂ，Ｃの運転バンド状態から、複数の発電機Ａ，Ｂ，Ｃに対する経済的な負荷配分を計算する負荷配分計算部として機能する。
【００２５】
経済負荷配分の計算は運転バンドが確定しているため連続変数型の数理計画問題として表現できる。多くの発電機特性は２次式であるが、この例では、より広い特性に対応するため逐次２次計画問題の解法（２次計画法）を、経済負荷配分計算の方法として採用する。なおここで例示した２次計画法は一例であり、この他、例えば線形計画法、動的計画法などを用いてもよい。この結果、運転バンドを守りつつ、その中で最も経済的かつ現在の予想需要に合致した配分を作成することができる。
この他、電力需給制御システムは、発電機制御部（図示せず）を有しており、求解部３４により求められた発電機毎の発電機運転出力データ３５を基にそれぞれの発電機Ａ，Ｂ，Ｃを制御する。
【００２６】
続いて、図２のフローチャートを参照して第１実施形態の電力需給制御装置の動作を説明する。
【００２７】
実績・現在類似度算出部３１は、現在データ格納部１０に格納されている現在の予想需要（電力需要）と、実績データ格納部２０に格納されている現在と同様の発電機運転体制での過去の実績需要との類似度を算出する（図２のステップＳ１）。
【００２８】
そして、算出した類似度の値の中で最も高い値、つまり最も類似（近似）すると判定される過去実績に対応する実績需要での配分値を、実績データ格納部２０より取り出す（ステップＳ２）。実績需要での配分値とは、発電しなければならない複数の発電機Ａ，Ｂ，Ｃの総電力（ＭＷ）のうち、それぞれの発電機Ａ，Ｂ，Ｃに対して負荷を配分する値である。
【００２９】
類似度としては総需要の各時刻の負荷の値をベクトルの各要素とみなし、予想総需要ベクトルと実績総需要ベクトルのＬ１ノルム、Ｌ２ノルム、Ｌ∞ノルムなどを採用する。このように、現在の予想需要に一番類似した過去の実績需要を選択することで、現在に最も適した過去の配分を選ぶことができる。
【００３０】
続いて、実績特徴抽出部３２は、図３に示すように、実績・現在類似度算出部３１により取り出された過去実績に対応する実績需要での配分値から、個々の発電機Ａ，Ｂ，Ｃの発電機運転バンドデータ３３を取得する。つまり、運用者の配分の特徴を現す運転バンド状態を配分計算の制約条件として過去の配分から取り出す。換言すると、実績特徴抽出部３２は、配分値から個々の発電機Ａ，Ｂ，Ｃの運転バンドを抽出し、負荷配分計算での運転バンドとして設定する（ステップＳ３）。
【００３１】
そして、求解部３４は、実績特徴抽出部３２により得られた各発電機Ａ，Ｂ，Ｃの発電機運転バンドデータ３３と、現在データ格納部１０に格納されている現在の予想需要、発電機制約条件データなどから経済負荷配分計算を実行する（ステップＳ４）。
【００３２】
経済負荷配分計算は運転バンドが確定しているため連続変数型の数理計画問題として表現できる。多くの発電機特性は２次式であるが、本発明ではより広い特性に対応するため逐次２次計画問題の解法を、経済負荷配分計算の方法として採用する。この経済負荷配分計算の結果、運転バンドを守り、その中で最経済かつ現在の予想需要に合致した配分を作成することができる。
【００３３】
このように構成された第１実施形態の電力需給制御システムによれば、負荷配分の特徴をよく表す各時刻の配分値に対応する運転バンドの状態を、現在の予想需要に類似した過去の実績需要に対して運用者が作成した負荷配分から抽出し、この運転バンドの状態を条件に複数の発電機Ａ，Ｂ，Ｃに対する経済的な負荷配分を行うことで、運用者の感覚を反映した負荷配分を実現することができる。すなわち運用者の感覚に合致し実際の運用に適すると同時に、現在の予測需要との需給バランスを守りかつ経済的な発電機の負荷配分を実施することができる。
【００３４】
（第２実施形態）
次に図４を参照して第２実施形態の電力需給制御システムを説明する。なお第２実施形態において第１実施形態と同一の構成には同一の符号を付し重複する説明は省略する。
【００３５】
図４に示すように、この第２実施形態の電力需給制御システムは、第１実施形態の負荷配分実行部３０の構成に、さらに実績データ検索部３６と実績表示選択部３７とを備える。また実績データ格納部２０には、各実績需要に対応する配分作成時の系統状態、気温、天候、作成した運用者ＩＤ、カレンダー情報（年月日時分、曜日）などを格納する。
【００３６】
実績データ検索部３６は、実績データ格納部２０に格納されている過去の実績需要を読み出し、そのときの系統状態、気温、天候、負荷配分を作成した運用者ＩＤ、カレンダー情報などを検索条件（検索キー）として、その条件に合致した実績需要を取得する。
【００３７】
実績表示選択部３７は、実績データ検索部３６により取得された過去の実績需要の中から、実績・現在類似度算出部３１により算出された類似度が高い順に実績需要をモニタの画面に表示し、例えば「表示された中からいずれかを選択してください。」等といったメッセージを表示して運用者に、発電機運転バンドデータ作成のために使用する実績需要の選択を促す。そして、画面に表示された実績需要の中から、運用者が所望の実績需要を指定すると、類似度に関係なく指定された実績需要を実績特徴抽出部３２へ渡す。
【００３８】
続いて図５のフローチャートを参照して第２実施形態の電力需給制御システムの動作を説明する。
【００３９】
実績データ検索部３６は、実績データ格納部２０に格納されている過去の実績需要を読み出し、そのときの系統状態、気温、天候、配分を作成した運用者ＩＤ、カレンダー情報などを検索条件（検索キー）として、その条件に合致した実績需要を取得する（図５のステップＳ５）。
【００４０】
その後、実績・現在類似度算出部３１は、実績データ検索部３６により取得された過去の実績需要と現在の予想需要との類似度を算出する（ステップＳ１，Ｓ２）。
【００４１】
実績表示選択部３７は、実績データ検索部３６により取得された過去の実績需要の中から、実績・現在類似度算出部３１により算出された類似度が高い順に実績需要をモニタの画面に表示し（ステップＳ６）、例えば「表示された中からいずれかを選択してください。」等といったメッセージを表示して運用者に実績需要の選択を促す。
【００４２】
ここで、画面に表示された実績需要の中から、運用者が所望の実績需要を指定すると、類似度に関係なく指定された実績需要を実績特徴抽出部３２へ渡す。
【００４３】
つまり、このステップＳ６では、取得した配分値の表示を行い、運用者に適切な配分値を選択させる。
【００４４】
実績特徴抽出部３２は、渡された実績需要を基に各発電機Ａ，Ｂ，Ｃの発電機運転バンドデータ３３を作成する。より具体的には、実績特徴抽出部３２は、実績・現在類似度算出部３１により取り出された過去実績に対応する実績の配分から発電機運転バンドデータ３３を取得する。そして実績特徴抽出部３２は、運用者の配分の特徴を現す運転バンド状態を、配分計算の制約条件として過去の配分から取り出し負荷配分計算での運転バンドとして設定する（ステップＳ３）。
【００４５】
求解部３４は、実績特徴抽出部３２により得られた発電機運転バンドデータ３３と、現在データ格納部１０に格納されている現在の予想需要、発電機制約条件データなどから経済負荷配分計算を実行する（ステップＳ４）。
【００４６】
このように構成された第２実施形態の電力需給制御システムによれば、過去の実績需要の中から、現在の予想需要との類似度が高い順に実績需要を画面に表示するので、画面に表示された過去の配分は系統状態、天候、気温、配分の作成者など細かい条件に合致したものであり、単純な需要での比較よりも現在の状況に適し、個々の運用者の感覚に合致した発電機の負荷配分を実施することができ、この負荷配分により運用者の感覚を反映した需給制御を実現できる。
【００４７】
（第３実施形態）
次に図６を参照して第３実施形態の電力需給制御システムを説明する。なお第３実施形態において第２実施形態と同一の構成には同一の符号を付し重複する説明は省略する。
【００４８】
図６に示すように、この第３実施形態の電力需給制御システムは、第２実施形態の負荷配分実行部３０に、発電機グループ化部３８を備える。
【００４９】
発電機グループ化部３８は、実績データ検索部３６が実績需要を取得する際（ステップＳ５の処理の際）に、現在と同一の発電機運転体制のものがあるかないかを判定する。また発電機グループ化部３８は、運転バンドでの出力上下限値や出力変化速度、燃料費特性係数などに類似性のある発電機をグルーピングする。
【００５０】
さらに発電機グループ化部３８は、同一の発電機運転体制がないと判定した実績需要については、実績・現在類似度算出部３１に対して、発電機グループに含まれる発電機を全て同一ものと扱うように指示する。すなわち、発電機グループ化部３８は、実績需要の類似性の高い発電機群を同一のグループとみなすようにグループ化する。
【００５１】
続いて、図７のフローチャートを参照して第３実施形態の電力需給制御システムの動作を説明する。
【００５２】
発電機グループ化部３８は、ステップＳ５の処理により実績需要を取得する際に現在と同一の発電機運転体制のものがあるかないかを判定する（ステップＳ７）。
【００５３】
そして、発電機グループ化部３８は、運転バンドでの出力上下限値や出力変化速度、燃料費特性係数などに類似性のある発電機をグルーピングする（ステップＳ８）。
【００５４】
そして、発電機グループ化部３８は、同一の発電機運転体制がないと判定した場合（ステップＳ７のＮｏ）、その実績需要については、実績・現在類似度算出部３１に対して、発電機グループ含まれる発電機を全て同一ものと扱うように指示する。以降の動作は、第２実施形態で示したステップＳ１〜Ｓ４までの動作と同様である。
【００５５】
このように構成された第３実施形態の電力需給制御システムによれば、燃料費特性係数に類似性のある複数の発電機を一つの発電機グループとしてグループ化することで、完全に同一の発電機体制を持つ実績需要が存在しない場合にも、第２実施形態と同等の負荷配分を行うことができ、この負荷配分により運用者の感覚を反映した需給制御を実施できる。
【００５６】
（第４実施形態）
次に図８を参照して第４実施形態の電力需給制御システムを説明する。なお第４実施形態において第３実施形態と同一の構成には同一の符号を付し重複する説明は省略する。
【００５７】
図８に示すように、この第４実施形態の電力需給制御システムは、第３実施形態の構成に、配分結果判定保存部４０を追加したものである。
【００５８】
配分結果判定保存部４０は、求解部３４により計算された経済負荷配分（の結果）を画面に表示し、メッセージ表示などにより確定ボタンまたはキャンセルボタンの押下を促し、確定ボタンを押下した場合、この負荷配分実行部３０にログインしている運用者のＩＤ（利用者識別子またはユーザ名など）をその負荷配分である発電機運転出力に付加して関連付けた上で、実績データ格納部２０に格納（記憶）する。
【００５９】
続いて図９のフローチャートを参照して第４実施形態の電力需給制御システムの動作を説明する。なお第４実施形態の動作は、第３実施形態で説明したステップＳ５〜Ｓ４までの動作と同じであり、その説明は省略する。
【００６０】
配分結果判定保存部４０は、求解部３４により計算された経済負荷配分を画面に表示し、運用者にこの配分が適切かどうかを確認させる（ステップＳ９）。そして、画面の確定ボタンまたはキャンセルボタンのいずれかを押下するようメッセージなどを表示してボタンの押下を促す。
【００６１】
上記メッセージにより、運用者が経済負荷配分を適切であると判定して、確定ボタンが押下された場合（ステップＳ９のＹｅｓ）、配分結果判定保存部４０は、この負荷配分実行部３０、つまりコンピュータにログインしている運用者のＩＤをその負荷配分である発電機運転出力に付加して関連付ける（ステップＳ１０）。
【００６２】
そして、運用者ＩＤと関連付けられた負荷配分と、そうでない負荷配分とを実績データ格納部２０に格納する（ステップＳ１１）。
【００６３】
このように構成された第４実施形態の電力需給制御システムによれば、運用者が適切と考える最新の負荷配分が運用者ＩＤに関連付けて実績データとして常に蓄えられるので、需要傾向の経年的な変化や発電機の新設などに対応でき、第２実施形態と同等の負荷配分を行うことができ、この負荷配分により運用者の感覚を反映した需給制御が実施できる。
【００６４】
（第５実施形態）
次に図１０を参照して第５実施形態の電力需給制御システムを説明する。なお第２実施形態と同一の構成には同一の符号を付し重複する説明は省略する。
【００６５】
図１０に示すように、この第５実施形態の電力需給制御システムは、第２実施形態の構成に、潮流制約判定部３９を追加したものである。なお潮流とは送電線（送電系統）に流れる電力をいう。
【００６６】
潮流制約判定部３９は、実績データ検索部３６により選ばれた実績需要に対応する配分に対して、現在の系統状態にて潮流計算を行い、過負荷などの系統を運用する上で制約となる事項にその配分が違反するかどうかを判定する。
【００６７】
続いて、図１１のフローチャートを参照して第５実施形態の電力需給制御システムの動作を説明する。実績データ検索部３６は、処理ステップＳ５で実績需要を取得する際に、現在の系統状態と合致する（同一の）系統状態の実績需要があるかないかを判定する（図１１のステップＳ１２）。
【００６８】
系統状態が合致する実績需要がない場合（ステップＳ１２のＮｏ）、実績データ検索部３６は、それ以外の条件で実績需要を合致させて、実績・現在類似度算出部３１による類似度算出の対象とするように設定する（ステップＳ１３）。
【００６９】
潮流制約判定部３９は実績データ検索部３６により選ばれた実績需要に対応する配分に対して、現在の系統状態にて潮流計算を行い、過負荷などの系統を運用する上で制約となる事項にその配分が違反するかどうかを判定する（ステップＳ１４）。さらに、実績表示選択部３７は違反する配分を表示しないように設定する。その後のステップＳ１〜Ｓ４の処理動作は第２実施形態と同様である。
【００７０】
このように構成された第５実施形態の電力需給制御システムによれば、現在の系統状態と合致する系統状態を持つ実績需要がない場合にも、現在の系統状態に対して運用制約の違反を起こす可能性の高い配分を予め除くことで、系統の運用制約を違反する可能性が低くかつ、第２実施形態と同等の負荷配分を実施することができ、この負荷配分により運用者の感覚を反映した需給制御を実現できる。
【００７１】
（第６実施形態）
次に図１２を参照して第６実施形態の電力需給制御システムを説明する。なお第１実施形態と同一の構成には同一の符号を付し重複する説明は省略する。
【００７２】
図１２に示すように、この第６実施形態の電力需給制御システムは、第１実施形態の構成に、さらに予想総需要範囲作成部３１０と予想総需要範囲記憶部３１１とを追加したものである。
【００７３】
この場合、現在データ格納部１０には、基準の予測需要に対して、発電機バンド毎の上下限データ、例えば＋５％または−５％等にした需要幅のデータ（上限のしきい値と下限のしきい値）が記憶されている。なおこの値は一例であり、この他、例えば±１０％や±２０％でもよく、予想総需要範囲は、数値に限定されるものではない。
【００７４】
予想総需要範囲作成部３１０は、現在データ格納部１０に格納されている現在の予想需要に対して、発電機バンド毎の上下限データを用いて予測が高めに外れ場合の上限の予想需要値と、予測が低めに外れた場合の下限の予想需要値を作成する。つまり予測が高めに外れ場合と低めに外れた場合の予想需要を作成する。これを予想総需要範囲３１１としてメモリに設定する。なお予想総需要範囲３１１から予測が外れた場合は予想需要を定数倍することや予想需要にある一定の値を加えることで新たな予想需要を作成する。
【００７５】
続いて図１３のフローチャートを参照して第６実施形態の電力需給制御システムの動作を説明する。
【００７６】
この場合、予想総需要範囲作成部３１０は、現在データ格納部１０に格納されている現在の予想需要（基準値）と発電機バンド毎の上下限データとを読み出し、現在の予想需要（基準値）に対して予測が高めに外れ場合、低めに外れた場合それぞれの予想需要を作成し（図１３のステップＳ１５）、これを予想総需要範囲３１１としてメモリに設定する。
【００７７】
実績・現在類似度算出部３１は、第１実施形態とは動作が少し異なり、予想総需要範囲３１１としてメモリに設定した上限値と下限値に対して、過去の実績需要との類似度を算出する（ステップＳ１ａ）。この二つの類似度を加算する、または類似度の大きい方を採用する、あるいは類似度の小さい方を採用するなどの条件を用いることで、現在の予想需要範囲に対する最終的な類似度を算出する。
【００７８】
すなわち、実績・現在類似度算出部３１は、算出された上下限の二つの類似度を基に現在の予想需要に対する最終的な類似度を算出する。以降の処理ステップについて第１実施形態と同様である。なお、現在の予想需要から算出した中央値を含めて、上限値、中央値、下限値の３つを基に現在の予想需要（基準値）に対する範囲的なばらつきがどれだけあるかといった最終的な類似度を算出してもよい。以降のステップＳ２〜Ｓ４の動作については第１実施形態の動作と同様である。
【００７９】
このように構成された第６実施形態の電力需給制御システムによれば、選ばれる配分は予想需要が高めに外れていた場合、または低めに外れた場合、ある程度類似した実績需要に対応するものであり、この配分の運転バンド状態を制約条件として配分することで、予測需要が外れる場合でも対応することができ、かつ第１実施形態と同等の負荷配分を実施することができ、この負荷配分により運用者の感覚を反映した需給制御を実現することができる。
【００８０】
なお、本願発明は上記実施形態のみに限定されるものではなく、実施段階ではその要旨を逸脱しない範囲で構成要素を変形してもよい。例えば各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。
さらに、ネットワークを介して接続した異なるコンピュータに構成要素を分散して記憶し、各構成要素を機能させたコンピュータ間で通信することで実現してもよい。
【符号の説明】
【００８１】
１０…現在データ格納部、２０…実績データ格納部、３０…負荷配分実行部、３１…実績・現在類似度算出部、３２…実績特徴抽出部、３４…求解部、３６…実績データ検索部、３７…実績表示選択部、３８…発電機グループ化部、３９…潮流制約判定部、３１０…予想総需要範囲作成部、４０…配分結果判定保存部。
【図１】
2012029389.tif 000003
【図２】
2012029389.tif 000004
【図３】
2012029389.tif 000005
【図４】
2012029389.tif 000006
【図５】
2012029389.tif 000007
【図６】
2012029389.tif 000008
【図７】
2012029389.tif 000009
【図８】
2012029389.tif 000010
【図９】
2012029389.tif 000011
【図１０】
2012029389.tif 000012
【図１１】
2012029389.tif 000013
【図１２】
2012029389.tif 000014
【図１３】
2012029389.tif 000015